(57)【要約】      （修正有）【課題】ベビーカーをベビーウォーカーやキックスクーターとして両用し得る三輪ベビーカー関節位置制限装置を提供する。【解決手段】三輪ベビーカー関節位置制限装置は、フロントフォーク関節１とメインチューブ関節２が軸ボルト９により連接され、転換プルチューブ４はメインチューブ関節２に圧縮ばね３を介してかけられ、フロントフォーク関節１と転換プルチューブ４は、フロントフォーク関節位置制限槽６の一方、メインチューブ関節長槽７、転換プルチューブ孔に通される連接杆８で連接され、外側に飾り付き保護カバー５が被せられる。【選択図】図１
0003196055.tif 000002
【実用新案登録請求の範囲】
【請求項１】
飾り付き保護カバーと、フロントフォーク関節と、メインチューブ関節と、転換プルチューブとを備え、
前記フロントフォーク関節の両辺にフロントフォーク関節位置制限槽が開けられ、前記メインチューブ関節の中央にメインチューブ関節長槽が開設され、前記転換プルチューブの上半の両辺に転換プルチューブ孔が設けられ、
前記フロントフォーク関節と前記メインチューブ関節は軸ボルトにより連接され、
前記転換プルチューブは前記メインチューブ関節に圧縮ばねがかけられて当該圧縮ばねの外側にかけられ、
前記フロントフォーク関節と前記転換プルチューブは、前記フロントフォーク関節のフロントフォーク関節位置制限槽の一方、前記メインチューブ関節のメインチューブ関節長槽、前記転換プルチューブの転換プルチューブ孔に通される連接杆で連接され、
前記フロントフォーク関節及び前記転換プルチューブの外側に前記飾り付き保護カバーが被せられる、
ことを特徴とする三輪ベビーカー関節位置制限装置。
【請求項２】
前記フロントフォーク関節と前記転換プルチューブとの間の連接杆はクイックリリースポールである、ことを特徴とする請求項１に記載の三輪ベビーカー関節位置制限装置。
【請求項３】
前記フロントフォーク関節及び前記転換プルチューブの取り付け穴の軸は同じである、ことを特徴とする請求項２に記載の三輪ベビーカー関節位置制限装置。
【考案の詳細な説明】
【技術分野】
【０００１】
本考案は、三輪ベビーカー関節位置制限装置に関するものである。
【背景技術】
【０００２】
現在のベビーウォーカーは機能が単一であり、子供が歩くことを学んだ後は、再利用できなくなり、資源の浪費となる。そして、子供に子供用キックスクーターの需要があると、親は再びキックスクーターを買う必要がある。
【考案の概要】
【考案が解決しようとする課題】
【０００３】
もし一種のベビーカーにベビーウォーカーの機能を有し、またキックスクーターの機能も有すれば、コストを大幅に節約することができ、収納空間を減らすことができ、資源の無用な浪費を避けることができる。
本考案は、このような従来の問題点に鑑みなされたもので、ベビーカーをベビーウォーカーやキックスクーターとして両用し得る三輪ベビーカー関節位置制限装置を提供することを目的とする。
【課題を解決するための手段】
【０００４】
本考案の技術は下記のように実現する。
前記問題点を解決し、上記目的を達成するために、本考案の三輪ベビーカー関節位置制限装置は、飾り付き保護カバーと、フロントフォーク関節と、メインチューブ関節と、転換プルチューブとを備え、当該フロントフォーク関節両辺にフロントフォーク関節位置制限槽が開けられ、当該メインチューブ関節の中央にメインチューブ関節長槽が開設され、当該メインチューブ関節に圧縮ばねがかけられ、当該圧縮ばねの外側に転換プルチューブがかけられ、当該フロントフォーク関節と当該メインチューブ関節が軸ボルトで連接され、当該転換プルチューブ上半の両辺に転換プルチューブ孔が設けられ、当該フロントフォーク関節と当該転換プルチューブが連接件で連接され、当該飾り付き保護カバーが当該フロントフォーク関節及び当該転換プルチューブの外側にかけられる、ことを特徴とする。
【０００５】
前記フロントフォーク関節と前記転換プルチューブとの間の連接件はクイックリリースポールであることが好ましい。
【０００６】
前記フロントフォーク関節及び前記転換プルチューブの取り付け穴の軸は同じであることが好ましい。
【考案の効果】
【０００７】
本考案の関節位置制限装置によれば、フロントフォーク組み及びフレーム組みが関節点に回されて回転変位が行われることが完成され、三輪ベビーカーのベビーウォーカーとキックスクーターとの互いに変換することが完成され、簡単な操作でベビーカーがベビーウォーカー及びキックスクーターとして両用される、という効果が達成される。
【図面の簡単な説明】
【０００８】
【図１】本考案の三輪ベビーカー関節位置制限装置の構造を示す断面図
【図２】図１のＡ−Ａ線断面図
【図３】同三輪ベビーカー関節位置制限装置の第１の作動状態を示す図
【図４】同三輪ベビーカー関節位置制限装置の第２の作動状態を示す図
【図５】同三輪ベビーカー関節位置制限装置を介してフロントフォーク組み及びメインチューブ関節が相対的に回転する第１の状態を示す図
【図６】同三輪ベビーカー関節位置制限装置を介してフロントフォーク組み及びメインチューブ関節が相対的に回転する第２の状態を示す図
【図７】同三輪ベビーカー関節位置制限装置による三輪ベビーカーの両用機能のうちの第１の機能を示す図
【図８】同三輪ベビーカー関節位置制限装置の回転構造により三輪ベビーカーが回転する状態を示す図
【図９】同三輪ベビーカー関節位置制限装置の回転構造により三輪ベビーカーがさらに回転する状態を示す図
【図１０】同三輪ベビーカー関節位置制限装置による三輪ベビーカーの両用機能のうちの第２の機能を示す図
【考案を実施するための形態】
【０００９】
以下、本考案の実施の形態について、図面を参照して詳細に説明する。
【００１０】
図１及び図２に示すように、本考案の三輪ベビーカー関節位置制限装置は、飾り付き保護カバー５と、フロントフォーク関節１と、メインチューブ関節２と、転換プルチューブ４とを備える。
フロントフォーク関節１両辺にフロントフォーク関節位置制限槽（溝）６が開けられ、メインチューブ関節２の中央にメインチューブ関節長槽（長穴）７が開設され、転換プルチューブ４上半の両辺に転換プルチューブ孔（穴）１０が設けられる。
フロントフォーク関節１とメインチューブ関節２は軸ボルト９で連接される。
メインチューブ関節２に圧縮ばね３がかけられ、転換プルチューブ４はこの圧縮ばね３の外側にかけられる。
フロントフォーク関節１と転換プルチューブ４は、フロントフォーク関節１の一方のフロントフォーク関節位置制限槽６、メインチューブ関節２のメインチューブ関節長槽７、転換プルチューブ４の転換プルチューブ孔１０に通される連接杆で連接され、このフロントフォーク関節１及び転換プルチューブ４の外側に飾り付き保護カバー５がかけられる。このフロントフォーク関節１と転換プルチューブ４との間の連接杆はクイックリリースポール８であり、フロントフォーク関節１及び転換プルチューブ４の取り付け穴の軸は同じである。
【００１１】
この三輪ベビーカー関節位置制限装置を使う時は、図３に示すように、飾り付き保護カバー５を取外し、クイックリリースポール８を緩めて転換プルチューブ４を圧縮ばね３に抗して下向きに引き、クイックリリースポール８を一方のフロントフォーク関節位置制限槽６から離脱させて、フロントフォーク関節１を回転させる。
【００１２】
このフロントフォーク関節１を回転すると、図４に示すように、転換プルチューブ４がクイックリリースポール８と共にフロントフォーク関節１の２つのフロントフォーク関節位置制限槽６の間にある円弧の部分に着かれ（押下され）、圧縮ばね３が圧縮状態であり、フロントフォーク軸が回転されフロントフォーク関節１の他方の一辺がクイックリリースポール８に接し、他方のフロントフォーク関節位置制限槽６とメインチューブ関節長槽７が重ね合わされると、転換プルチューブ４が圧縮ばね３の位置エネルギーの作用で上向きに跳ね、クイックリリースポール８がこのフロントフォーク関節位置制限槽６に嵌め込まれて、この状態がしっかりとロックされる。そして、その上に飾り付き保護カバー５が逆向きに被せられる。
このような作業過程を通してフロントフォーク関節１及びメインチューブ関節２が相対的に回転され、二つの固定角度に切り替えられる。
【００１３】
このようにこの関節位置制限装置によれば、図５、図６に示すように、Ｔ字型フロントフォーク組み１２及びフレーム組み１３を関節点で回して回転変位を行うことができ、図７乃至図１０に示すように、三輪ベビーカーをベビーウォーカーとキックスクーターに相互に変換することができ、従って簡単な操作でベビーカーをベビーウォーカー及びキックスクーターとして両用することができる。
【００１４】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００１５】
１  フロントフォーク関節
２  メインチューブ関節
３  圧縮ばね
４  転換プルチューブ
５  飾り付き保護カバー
６  フロントフォーク関節位置制限槽
７  メインチューブ関節長槽
８  クイックリリースポール
９  軸ボルト
１０  転換プルチューブ孔
１１  回転構造
１２  T字型フロントフォーク組み
１３  フレーム組み
１４  サドル
１５  ボード
【図１】
0003196055.tif 000003
【図２】
0003196055.tif 000004
【図３】
0003196055.tif 000005
【図４】
0003196055.tif 000006
【図５】
0003196055.tif 000007
【図６】
0003196055.tif 000008
【図７】
0003196055.tif 000009
【図８】
0003196055.tif 000010
【図９】
0003196055.tif 000011
【図１０】
0003196055.tif 000012